(57)【要約】【課題】信頼性の高い記録ディスクカートリッジを提供する。【解決手段】ハブを有する記録ディスクメディアと、記録ディスクメディアを収容すると共に、アクセス用開口部とハブ孔とを有するカートリッジケースと、記録ディスクメディアとカートリッジケースとの間で回動することでケース開口を開閉するロータリシャッタ２０と、ロータリシャッタ２０とカートリッジケースとの間で、ロータリシャッタ２０の回動に連動して回動し、ハブとハブ孔と間の隙間を開閉するハブ孔シャッタ４０と、を備え、ロータリシャッタ２０が周方向においてアクセス用開口部を閉じる閉位置にある場合、ロータリシャッタが軸方向において通常位置に位置する記録ディスクカートリッジ１であって、ロータリシャッタ２０が回動する場合、ロータリシャッタ２０をハブ孔シャッタ４０から離れた回動位置に移動させるロータリシャッタ移動機構を備えた。【選択図】図８
2007141279.tif 000002
【特許請求の範囲】
【請求項１】
その中心にハブを有する記録ディスクメディアと、
前記記録ディスクメディアを収容すると共に、当該記録ディスクメディアを外部に臨ませるケース開口と前記ハブを外部に臨ませるハブ孔とを有するカートリッジケースと、
前記記録ディスクメディアと前記カートリッジケースとの間で回動することで前記ケース開口を開閉するロータリシャッタと、
前記ロータリシャッタとカートリッジケースとの間で、前記ロータリシャッタの回動に連動して回動し、前記ハブと前記カートリッジケースとの間の隙間を開閉するハブ孔シャッタと、
を備え、前記ロータリシャッタが周方向において前記ケース開口を閉じる閉位置にある場合、前記ロータリシャッタがその軸方向において通常位置に位置する記録ディスクカートリッジであって、
前記ロータリシャッタが回動している場合、当該ロータリシャッタを前記ハブ孔シャッタから離れた回動位置に移動させるロータリシャッタ移動機構を備えたことを特徴とする記録ディスクカートリッジ。
【請求項２】
前記ロータリシャッタ移動機構は、前記ロータリシャッタが周方向において前記ケース開口を開く開位置にある場合、前記ロータリシャッタがその軸方向において前記通常位置に位置するように構成されていることを特徴とする請求項１に記載の記録ディスクカートリッジ。
【請求項３】
前記ロータリシャッタを前記カートリッジケースに回動自在に固定するピンを、さらに備え、
前記ロータリシャッタ移動機構は、前記ロータリシャッタ及び前記ピンの一方が有する凹部と、前記ロータリシャッタ及び前記ピンの他方が有する凸部とを備えて構成されており、
前記凸部が前記凹部に嵌合している場合、前記ロータリシャッタが前記通常位置にあり、
前記ロータリシャッタが回動している場合、前記凸部が前記凹部から脱離し、前記ロータリシャッタが前記回動位置にあることを特徴とする請求項１又は請求項２に記載の記録ディスクカートリッジ。
【請求項４】
前記ロータリシャッタ移動機構は、前記カートリッジケース及び前記ロータリシャッタの一方が有する凹部と、前記カートリッジケース及び前記ロータリシャッタの他方が有する凸部と、を備えて構成されており、
前記凸部が前記凹部に嵌合している場合、前記ロータリシャッタが前記通常位置にあり、
前記ロータリシャッタが回動している場合、前記凸部が前記凹部から脱離し、前記ロータリシャッタが前記回動位置にあることを特徴とする請求項１又は請求項２に記載の記録ディスクカートリッジ。
【請求項５】
複数の前記凹部と、複数の前記凸部とを備え、
前記複数の凹部及び前記複数の凸部は平面視において放射状であることを特徴とする請求項３又は請求項４に記載の記録ディスクカートリッジ。
【請求項６】
前記凹部及び前記凸部の少なくとも一方の周方向側は、曲面又はテーパ面であることを特徴とする請求項３から請求項５のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシート等からなる円盤状の支持体の両面に磁性層を形成したフレキシブルな磁気ディスクメディアや、光記録ディスクメディア、相変化ディスクメディア等の記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。特許文献１に記載の記録ディスクカートリッジは、記録ディスクメディアと、この記録ディスクメディアを収容すると共に、記録ディスクメディアを外部に臨ませるアクセス用開口部（ケース開口）を有するカートリッジケースと、前記アクセス用開口部を開閉するロータリシャッタと、を主に備えている。
【特許文献１】米国特許第６２５６１６８号明細書
【発明の開示】
【発明が解決しようとする課題】
【０００４】
しかしながら、特許文献１に記載の記録ディスクカートリッジでは、記録ディスクメディアのハブとカートリッジケースとの間に隙間が形成され、記録ディスクカートリッジの保存時に、この隙間からカートリッジケース内に塵埃が侵入する場合があった。そして、このようにカートリッジケース内に塵埃が侵入すると、書き込み／読み込みエラーが発生する場合があり、記録ディスクカートリッジの信頼性が低下することがあった。
【０００５】
そこで、本発明は、信頼性の高い記録ディスクカートリッジを提供することを課題とする。
【課題を解決するための手段】
【０００６】
前記課題を解決するための手段として、請求項１に係る発明は、その中心にハブを有する記録ディスクメディアと、前記記録ディスクメディアを収容すると共に、当該記録ディスクメディアを外部に臨ませるケース開口と前記ハブを外部に臨ませるハブ孔とを有するカートリッジケースと、前記記録ディスクメディアと前記カートリッジケースとの間で回動することで前記ケース開口を開閉するロータリシャッタと、前記ロータリシャッタとカートリッジケースとの間で、前記ロータリシャッタの回動に連動して回動し、前記ハブと前記カートリッジケースとの間の隙間を開閉するハブ孔シャッタと、を備え、前記ロータリシャッタが周方向において前記ケース開口を閉じる閉位置にある場合、前記ロータリシャッタがその軸方向において通常位置に位置する記録ディスクカートリッジであって、前記ロータリシャッタが回動している場合、当該ロータリシャッタを前記ハブ孔シャッタから離れた回動位置に移動させるロータリシャッタ移動機構を備えたことを特徴とする記録ディスクカートリッジである。
【０００７】
このような記録ディスクカートリッジによれば、ハブ孔シャッタが、ロータリシャッタの回動に連動して回動し、ハブとカートリッジケースとの間の隙間を適宜に開閉することにより、記録ディスクカートリッジ保存時においてハブとハブ孔の隙間から塵埃がカートリッジケース内に侵入することを防止できる。これにより、書き込み／読み込みエラーが発生しにくくなり、記録ディスクカートリッジの信頼性は高くなる。
また、ロータリシャッタが回動している場合、ロータリシャッタ移動機構が、ロータリシャッタをハブ孔シャッタから離れた回動位置に移動させるため、ロータリシャッタとハブ孔シャッタとの間の隙間（クリアランス）が大きくなる。これにより、ハブ孔シャッタは、ロータリシャッタに接触しにくくなり、好適に回動することができる。
【０００８】
請求項２に係る発明は、前記ロータリシャッタ移動機構は、前記ロータリシャッタが周方向において前記ケース開口を開く開位置にある場合、前記ロータリシャッタがその軸方向において前記通常位置に位置するように構成されていることを特徴とする請求項１に記載の記録ディスクカートリッジである。
【０００９】
このような記録ディスクカートリッジによれば、ロータリシャッタ移動機構が、ロータリシャッタが閉位置にある場合、ロータリシャッタを通常位置に位置させる。すなわち、ロータリシャッタが閉位置及び開位置にある場合、ロータリシャッタがその軸方向において、同じ位置に配置する。ここで、一般的に、記録ディスクカートリッジのドライブ装置への挿入前（通常時）において、記録ディスクメディアは、その軸方向において、ロータリシャッタ内の略中央位置に配置される。したがって、このようにロータリシャッタが開位置にある場合、その軸方向において、ロータリシャッタが通常位置に位置することにより、記録ディスクメディアがロータリシャッタ内の略中央位置に配置される。これにより、ドライブ装置のスピンドル等によって、記録ディスクメディアは、ロータリシャッタに接触することなく、円滑に回転することができる。
【００１０】
請求項３に係る発明は、前記ロータリシャッタを前記カートリッジケースに回動自在に固定するピンを、さらに備え、前記ロータリシャッタ移動機構は、前記ロータリシャッタ及び前記ピンの一方が有する凹部と、前記ロータリシャッタ及び前記ピンの他方が有する凸部とを備えて構成されており、前記凸部が前記凹部に嵌合している場合、前記ロータリシャッタが前記通常位置にあり、前記ロータリシャッタが回動している場合、前記凸部が前記凹部から脱離し、前記ロータリシャッタが前記回動位置にあることを特徴とする請求項１又は請求項２に記載の記録ディスクカートリッジである。
【００１１】
また、請求項４に係る発明は、前記ロータリシャッタ移動機構は、前記カートリッジケース及び前記ロータリシャッタの一方が有する凹部と、前記カートリッジケース及び前記ロータリシャッタの他方が有する凸部と、を備えて構成されており、前記凸部が前記凹部に嵌合している場合、前記ロータリシャッタが前記通常位置にあり、前記ロータリシャッタが回動している場合、前記凸部が前記凹部から脱離し、前記ロータリシャッタが前記回動位置にあることを特徴とする請求項１又は請求項２に記載の記録ディスクカートリッジである。
【００１２】
このような記録ディスクカートリッジによれば、凸部が凹部に嵌合している場合、ロータリシャッタを通常位置に位置させることができる。一方、ロータリシャッタが回動している場合、凸部が凹部から脱離し、ロータリシャッタを回動位置に位置させることができる。
【００１３】
請求項５に係る発明は、複数の前記凹部と、複数の前記凸部とを備え、前記複数の凹部及び前記複数の凸部は平面視において放射状であることを特徴とする請求項３又は請求項４に記載の記録ディスクカートリッジである。
【００１４】
このような記録ディスクカートリッジによれば、複数の凹部と、複数の凸部とを備え、これらが放射状であることにより、ロータリシャッタが回動し、凸部が凹部から脱離した場合、ロータリシャッタを軸方向に平行移動させて回動位置に位置させることができる。
【００１５】
請求項６に係る発明は、前記凹部及び前記凸部の少なくとも一方の周方向側は、曲面又はテーパ面であることを特徴とする請求項３から請求項５のいずれか１項に記載の記録ディスクカートリッジである。
【００１６】
このような記録ディスクカートリッジによれば、凹部及び凸部の少なくとも一方の周方向側は曲面又はテーパ面であることにより、凹部と凸部とが嵌合／脱離しやすくなる。
【発明の効果】
【００１７】
本発明によれば、信頼性の高い記録ディスクカートリッジを提供することができる。
【発明を実施するための最良の形態】
【００１８】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、図２に示す分解斜視図の要部拡大図である。図４は、本実施形態に係るロータリシャッタを示す斜視図であり、（ａ）は前方斜め上方からみた図、（ｂ）は後方斜め下方からみた図である。図５は、本実施形態に係る記録ディスクカートリッジの要部の断面図である。図６は、本実施形態に係る記録ディスクカートリッジから下シェル及びハブ孔シャッタを取り外した様子を下方からみた平面図である。図７は、本実施形態に係る記録ディスクカートリッジをドライブ装置に挿入した状態を示す斜視図である。図８は、本実施形態に係るロータリシャッタを周方向に展開し、ロータリシャッタ移動機構の動作を示す図であり、（ａ）はロータリシャッタが閉位置にある場合、（ｂ）はロータリシャッタが回動している場合、（ｃ）はロータリシャッタが開位置にある場合を示す。
なお、本実施形態において方向を説明する場合は、図１に示す前、後、右、左、上、下、を基準として説明する。また、図６では下シェルのガイド孔と、ハブ孔シャッタを仮想線で記載している。
【００１９】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、記録ディスクメディア３０をクリーニング及び保護等するライナ６０，６０と、を主に備えている。そして、このような記録ディスクカートリッジ１は、専用のドライブ装置Ｄ（図７参照）に、その前側から挿入されて使用される。
【００２０】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されると共に、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図７参照）。
【００２１】
また、カートリッジケース１０は、その内部に収容された記録ディスクメディア３０（フレキシブルディスク３１）を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図７参照）の動作に干渉しない形状となっている。
【００２２】
このようなカートリッジケース１０は、図２に示すように、互いに対向して配置される金属製の上シェル１１及び下シェル１２と、この上シェル１１及び下シェル１２の間に介在した合成樹脂製のフレーム部材１３と、を備えて構成されている。
【００２３】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２４】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２５】
また、上シェル１１は、その右側に、金属プレートを折り曲げ加工して一体形成された平面視で直線状の折り曲げ部１１２ｃを有しており、その左側に、折り曲げ部１１２ｄを有している。これと同様に、下シェル１２は、その右側に折り曲げ部１２２ｃを、その左側に折り曲げ部１２２ｄを有している。
そして、カートリッジケース１０が組み立てられたときに、折り曲げ部１１２ｃと折り曲げ部１２２ｃが隙間なく重なり合って、カートリッジケース１０の右端部１０ｃにおける周壁の一部を構成するようになっている。これと同様に、折り曲げ部１１２ｄと折り曲げ部１２２ｄとが重なり合って、左端部１０ｄにおける周壁の一部を構成するようになっている。
【００２６】
さらに、上シェル１１は、その中央部に、ロータリシャッタ２０を回動可能に止め付けるセンタピン５０と係合する平面視で四角形の角形係合孔１１３を有している。
【００２７】
一方、下シェル１２は、その中央部に、記録ディスクメディア３０のハブ３２を外部に臨ませるハブ孔１２３を有している。そして、記録ディスクカートリッジ１がドライブ装置Ｄ（図７参照）に装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２８】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
【００２９】
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている（図６参照）。
これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている（図６参照）。
【００３０】
また、アーチ状フレーム１３１は、下向きに開口し、カートリッジケース１０の内部と外部を連通させる係合溝１３１ｅ（図６参照）を有している。この係合溝１３１ｅは、後記するロック片７０が係合する溝である。
【００３１】
Ｖノッチ部材１３３は、後記するように閉方向に付勢されるロータリシャッタ２０を閉位置で止めるストッパとしての役割と（図６参照）、ドライブ装置Ｄとの係合部としての役割とを備える部材であり、左端部１０ｄの前側に配置されている。
【００３２】
そして、このような上シェル１１及び下シェル１２とフレーム部材１３とは、公知の技術によって、それぞれ固定されている。例えば、（１）フレーム部材１３にボスを設けると共に、上シェル１１及び下シェル１２にボス孔を設け、ボスをボス孔に挿通した状態でボスの先端をかしめたり、（２）上シェル１１及び下シェル１２とフレーム部材１３とを接着剤により接着したりして、上シェル１１及び下シェル１２とフレーム部材１３とが固定されている。
【００３３】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図４、図５参照）。
【００３４】
ロータリシャッタ２０は、図２及び図４に示すように、記録ディスクメディア３０（フレキシブルディスク３１）を外部に臨ませる切欠部２０１を有している（図７参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３５】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図６、図７参照）。
これに対し、ロータリシャッタ２０が開位置にある場合、記録ディスクカートリッジ１の厚み方向（記録ディスクメディア３０及びロータリシャッタ２０の回転軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図７参照）。
【００３６】
また、ロータリシャッタ２０は、図示しない付勢手段（例えば渦巻きばね）によって、閉方向（図６、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に位置され、アクセス用開口部１０１を閉じるようになっている（図１、図６、図７参照）。
ちなみに、本発明において、前記付勢手段は必須の構成要素ではなく、後記するように、ドライブ装置Ｄ（図７参照）から記録ディスクカートリッジ１を抜き出す際に、ロータリシャッタ２０が閉方向（図６、矢印Ａ１参照）に回動するように、ドライブ装置Ｄ側にシャッタノブ２４の係止手段を設けることによって、前記付勢手段は省略することができる。
【００３７】
このようなロータリシャッタ２０は、図２及び図３に示すように、金属プレートからなる上シャッタ２１及び下シャッタ２２と、これらの間に介在した合成樹脂製のシャッタウォール２３と、を備えて構成されている。
【００３８】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３９】
また、上シャッタ２１は、その中央部に、前記したセンタピン５０を挿通させるための挿通孔２１２を有している。
【００４０】
さらに、上シャッタ２１は、挿通孔２１２周りに、下側（センタピン５０の大円柱部５３側）に突出した複数本（本実施形態では４本）の条２１ａ，２１ｂ，２１ｃ，２１ｄ（凸部）を有している（図３参照）。４本の条２１ａ〜２１ｄは、センタピン５０の後記する４本の溝５３ａ〜５３ｄ（凹部）に対応して、平面視で周方向に等間隔（つまり９０°間隔）で放射状に配置されており、ロータリシャッタ２０が、閉位置から開位置または開位置から閉位置に移動する際に、回動する角度と対応している。４本の条２１ａ〜２１ｄは、センタピン５０の対応する４本の溝５３ａ〜５３ｄに嵌合する形状を有している。さらに、４本の条２１ａ〜２１ｄは、径方向側面視において略半円柱体を呈しており、条２１ａ〜２１ｄの周方向側は曲面となっており、条２１ａ〜２１ｄが溝５３ａ〜５３ｄに嵌合／脱離しやすくなっている（図８参照）。なお、このような４本の条２１ａ〜２１ｄは、例えば、上シャッタ２１に絞り処理を施すことで構成される。
【００４１】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている（図４（ｂ）参照）。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００４２】
さらに、下シャッタ２２の下面には、ロータリシャッタ２０を回動させるためのシャッタノブ２４が取り付けられている（図４（ｂ）参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図７参照）。
【００４３】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタの側面から、その径方向外側に向かって徐々に離れるように延出した細長の金属片である。ロック片７０の先端部７１は、径方向内側に向かってやや屈曲している（図４、図６参照）。
【００４４】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図６参照）に係合し、ロータリシャッタ２０が回動しないようになっている。
【００４５】
また、ロック片７０の先端部７１は、係合溝１３１ｅを介して、記録ディスクカートリッジ１の右側方に臨んでいる。そして、記録ディスクカートリッジ１がドライブ装置Ｄ（図７参照）に挿入されると、ドライブ装置Ｄ内のロック解除ピン（図示省略）が、ロック片７０の先端部７１を径方向内側に押し（図６、矢印Ａ６参照）、ロック片７０と係合溝１３１ｅとの係合が解除され、ロータリシャッタ２０が回動可能となるように構成されている。
【００４６】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視で「Ｃ」字形状の樹脂製の部材である。そして、シャッタウォール２３の上下には、上シャッタ２１と下シャッタ２２とが、カートリッジケース１０と同様に、適宜な方法によって固定されている（図４、図５参照）。これにより、上シャッタ２１と下シャッタ２２とシャッタウォール２３とは、一体となって、記録ディスクメディア３０及びロータリシャッタ２０の回転軸方向（記録ディスクカートリッジ１の厚さ方向）に移動するようになっている。また、このようなシャッタウォール２３が上シャッタ２１と下シャッタ２２との間に介在されることにより、記録ディスクメディア３０を収容するスペースが形成されている。
【００４７】
＜センタピン５０＞
センタピン５０は、ロータリシャッタ２０をカートリッジケース１０に回動自在に固定するピンである。センタピン５０は、図３に示すように、その下側に向かって、平面視が四角形の角柱部５１と、平面視が円形の小円柱部５２と、大円柱部５３とを備えている。このようなセンタピン５０は、適宜な金属（アルミニウム等）や、樹脂から形成される。
【００４８】
［センタピン５０−角柱部５１］
角柱部５１は、上シェル１１の角形係合孔１１３に挿通される部分であり、角柱部５１と角形係合孔１１３とは、周方向において、上シェルに対し指定された角度で係合するようになっている。これにより、角柱部５１（センタピン５０）が、一旦、上シェル１１に固定された後は、上シェル１１に対して、周方向に回転しないようになっている。すなわち、後記する大円柱部５３の溝５３ａ〜５３ｄは、ロータリシャッタ２０が回動しても、回動ないようになっている。
また、角柱部５１の上側端はかしめられており（図示省略）、センタピン５０が、上シェル１１から抜けないようになっている。
【００４９】
［センタピン５０−小円柱部５２］
小円柱部５２は、上シャッタ２１の挿通孔２１２に挿通される部分である。そして、上シャッタ２１（ロータリシャッタ２０）は、小円柱部５２（センタピン５０）周りを回動自在となっている。
【００５０】
［センタピン５０−大円柱部５３］
大円柱部５３の外径は、上シャッタ２１の挿通孔２１２の内径よりも大きく設定されており、上シャッタ２１をその下側から支持しつつ、上シェル１１とで上シャッタ２１を挟んでいる。これにより、上シャッタ２１（ロータリシャッタ２０）が、上シェル１１（カートリッジケース１０）から、抜けないようになっている。
【００５１】
大円柱部５３は、その上シャッタ２１側に、周方向に複数本（本実施形態では４本）の溝５３ａ，５３ｂ，５３ｃ，５３ｄ（凹部）を有している。４本の溝５３ａ〜５３ｄは、平面視において、上シャッタ２１の４本の条２１ａ〜２１ｄと同様に、周方向に等間隔（つまり９０°間隔）で放射状に配置されており、ロータリシャッタ２０が、閉位置から開位置または開位置から閉位置に移動する際に、回動する角度と対応している。また、溝５３ａ〜５３ｄは、条２１ａ〜２１ｄが嵌合する形状となっている。さらに、４本の溝５３ａ〜５３ｄは、径方向側面視において半円を呈しており、溝５３ａ〜５３ｄの周方向における両側内面は曲面となっている。これにより、条２１ａ〜２１は、周方向において、溝５３ａ〜５３ｄに対して脱離／嵌合しやすくなっている（図８参照）。
ただし、このような平面視で円形の大円柱部５３に代えて、楕円形の楕円柱部であってもよい。
【００５２】
［条と溝の位置関係］
ここで、図８を参照して、条２１ａ〜２１ｄと溝５３ａ〜５３ｄとの周方向における位置関係について、ロータリシャッタ２０の位置と関連付けて説明する。
ロータリシャッタ２０が周方向においてアクセス用開口部１０１を閉じる閉位置に位置する場合、条２１ａは溝５３ａに、条２１ｂは溝５３ｂ、条２１ｃは溝５３ｃに、条２１ｄは溝５３ｄにそれぞれ嵌合するようになっている（図８（ａ）左側参照）。この場合、ロータリシャッタ２０（下シャッタ２２）は、ハブ孔シャッタ４０（第１シャッタ４１）に接近した通常位置に位置するようになっている（図８（ａ）右側参照）。
【００５３】
ロータリシャッタ２０が回動している場合、条２１ａ〜２１ｄは、溝５３ａ〜５３ｄからそれぞれ脱離し（図８（ｂ）左側参照）、ロータリシャッタ２０（下シャッタ２２）が、条２１ａ〜２１ｄの厚さ分だけ上側に移動し、ハブ孔シャッタ４０（第１シャッタ４１）から離れた回動位置に位置するようになっている（図８（ｂ）右側参照）。すなわち、ロータリシャッタ２０の回動中、ロータリシャッタ２０とハブ孔シャッタ４０との隙間が、大きくなるようになっている。
【００５４】
記録ディスクカートリッジ１がドライブ装置Ｄに装着され、ロータリシャッタ２０が９０°回動し、アクセス用開口部１０１を閉じる閉位置に位置する場合、条２１ａは溝５３ｄに、条２１ｂは溝５３ａ、条２１ｃは溝５３ｂに、条２１ｄは溝５３ｃにそれぞれ嵌合するようになっている（図８（ｃ）左側参照）。この場合、ロータリシャッタ２０（下シャッタ２２）は、ハブ孔シャッタ４０（第１シャッタ４１）に接近した通常位置に一するようになっている（図８（ｃ）右側参照）。
【００５５】
すなわち、本実施形態において、特許請求の範囲に係るロータリシャッタ移動機構は、４本の条２１ａ〜２１ｄを有する上シャッタ２１と、４本の溝５３ａ〜５３ｂを有するセンタピン５０と、を備えて構成されている。
【００５６】
＜記録ディスクメディア３０＞
図２に戻って説明を続ける。
記録ディスクメディア３０は、データを記録する記録媒体であり、本実施形態では、図２に示すように、フレキシブルディスク３１と、このフレキシブルディスク３１を支持するハブ３２と、を備えて構成されている。
【００５７】
フレキシブルディスク３１は、例えば、ポリエステルシート等からなる円盤状の支持体の両面に磁性層等の記録層を形成したものである。
ハブ３２は、フレキシブルディスク３１を支持する金属製の円筒状部材である。また、ハブ３２は、上面にフレキシブルディスク３１の取り付け部（図示省略）を備えると共に、下面にドライブ装置Ｄ（図７参照）のスピンドル（図示省略）にチャックされるチャック部３２１を備えている（図１（ｂ）、図４（ｂ）、図５参照）。
【００５８】
＜ライナ６０＞
ライナ６０，６０は、記録ディスクメディア３０をクリーニングすると共に、記録ディスクメディア３０を保護するものであり、例えば、不織布等から形成されている。そして、ライナ６０，６０は、上シャッタ２１及び下シャッタ２２のフレキシブルディスク３１（記録ディスクメディア３０）側にそれぞれ位置しており、接着層（図示省略）を介して上シャッタ２１又は下シャッタ２２に固定されている（図５参照）。
【００５９】
＜ハブ孔シャッタ４０＞
ハブ孔シャッタ４０は、下シェル１２とハブ３２との間の隙間Ｓ（図５、図７参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００６０】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００６１】
また、第１シャッタ４１は、その他方側に、ハブ３２と嵌り合うように半円形状に切り欠かれた嵌合部４１２（切欠部）を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００６２】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
【００６３】
≪記録ディスクカートリッジ１の作用効果≫
次に、記録ディスクカートリッジ１の作用効果について、図７及び図８を主に参照して、ロータリシャッタ２０の動作、ハブ孔シャッタ４０の動作の順で説明する。
【００６４】
［ロータリシャッタ２０−閉位置］
まず、ロータリシャッタ２０が閉位置にあるときについて説明する。
ロータリシャッタ２０は、図７右側に示すように、記録ディスクカートリッジ１の通常時（ドライブ装置Ｄへの挿入前）において、閉位置に位置しており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
また、シャッタノブ２４は、下シェル１２のガイド孔１２４の前方に位置している（図７参照）。
【００６５】
そして、このようにロータリシャッタ２０が閉位置に位置する場合、図８（ａ）の左側に示すように、条２１ａは溝５３ａに、条２１ｂは溝５３ｂに、条２１ｃは溝５３ｃに、条２１ｄは溝５３ｄに、それぞれ嵌合している。一方、ロータリシャッタ２０を構成する下シャッタ２２は、図８（ａ）の右側に示すように、軸方向において、第１シャッタ４１（ハブ孔シャッタ４０）に接近した通常位置に位置している。
【００６６】
［ロータリシャッタ２０−回動中］
次に、回動中のロータリシャッタ２０について説明する。
記録ディスクカートリッジ１をドライブ装置ＤのカートリッジスロットＤＳに挿入すると、ドライブ装置Ｄのロック解除ピン（図示省略）によって、ロック片７０によるロータリシャッタ２０のロックが解除された後（図６、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図６、矢印Ａ２参照）。
【００６７】
そうすると、シャッタノブ２４が固定されたロータリシャッタ２０は、カートリッジケース１０内でセンタピン５０を軸として回動する（図６、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００６８】
さらに説明すると、このようにロータリシャッタ２０が回動すると、ロータリシャッタ２０とセンタピン５０とが周方向にずれ（図３参照）、図８（ｂ）の左側に示すように、上シャッタ２１の条２１ａ〜２１ｄが、大円柱部５３の溝５３ａ〜５３ｄから抜け出して脱離する。そして、条２１ａ〜２１ｄが大円柱部５３の上面を摺動しつつ、上シャッタ２１（ロータリシャッタ２０）が回動する。
【００６９】
このようにロータリシャッタ２０が回動する間、上シャッタ２１が、条２１ａ〜２１ｄの厚さ分だけ、上側に移動する（矢印Ａ１１参照）。ここで、４本の条２１ａ〜２１ｄは、前記したように、平面視で放射状であるため、上シャッタ２１が上側に平行移動する。
そうすると、図８（ｂ）の右側に示すように、上シャッタ２１と一体に構成された下シャッタ２２も、条２１ａ〜２１ｄの厚さ分だけ、第１シャッタ４１（ハブ孔シャッタ４０）から上側に離れた回動位置に移動する（矢印Ａ１２参照）。このように下シャッタ２２が回動位置に移動したことにより、下シャッタ２２と第１シャッタ４１（ハブ孔シャッタ４０）との間の隙間が大きくなる。
【００７０】
なお、このように、下シャッタ２２が第１シャッタ４１（ハブ孔シャッタ４０）から離れた回動位置で、ロータリシャッタ２０が回動する間、上シェル１１の角形係合孔１１３周りは、上シャッタ２１に押されて、上側に弾性変形する。そして、この弾性変形した部分によって、記録ディスクカートリッジ１が上下逆向き等であっても、上シャッタ２１が大円柱部５３に向かって付勢される。
【００７１】
［ロータリシャッタ２０−開位置］
次に、ロータリシャッタ２０が開位置にあるときについて説明する。
そして、図７左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に位置し、アクセス用開口部１０１が完全に開かれる。その結果として、フレキシブルディスク３１（記録ディスクメディア３０）が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に位置する場合、ロータリシャッタ２０に固定されたシャッタノブ２４は、下シェル１２のガイド孔１２４の後方に位置する。
【００７２】
さらに説明すると、ロータリシャッタ２０が略９０°回動し、アクセス用開口部１０１が開き、開位置にくると、上シェル１１の角形係合孔１１３周りの弾性変形する部分によって、上シャッタ２１が下側に付勢されて、図８（ｃ）の左側に示すように、条２１ａが溝５３ｄに、条２１ｂが溝５３ａに、条２１ｃが溝５３ｂに、条２１ｄが溝５３ｃに、それぞれ嵌合する。これにより、上シャッタ２１は、軸方向において、条２１ａ〜２１ｄの厚さ分だけ下側に移動する（矢印Ａ１３参照）。
【００７３】
そうすると、上シャッタ２１と一体に固定された下シャッタ２２も、図８（ｃ）の右側に示すように、軸方向において、条２１ａ〜２１ｄの厚さ分だけ、第１シャッタ４１（ハブ孔シャッタ４０）に接近した通常位置に戻る（矢印Ａ１４参照）。
【００７４】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。なお、このように閉位置に戻る場合も、ロータリシャッタ２０は、その回動中において回動位置に移動し、ロータリシャッタ２０とハブ孔シャッタ４０との間の隙間が大きくなる。
そして、ロータリシャッタ２０が閉位置に戻ると、ロック片７０がロータリシャッタ２０をロックする（図６参照）。
【００７５】
［ハブ孔シャッタ４０−閉位置］
次に、このようなロータリシャッタ２０の動作に連動するハブ孔シャッタ４０の動作ついて説明する。
ハブ孔シャッタ４０は、図７右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる（図５参照）。これにより、この隙間Ｓからカートリッジケース１０内への塵埃の侵入が防止されており、その結果として、記録ディスクメディア３０等が保護される。その結果として、塵埃により、書き込み／読み込みエラーが発生が発生しにくくなり、よって、記録ディスクカートリッジの信頼性が高くなる。
【００７６】
［ハブ孔シャッタ４０−回動中］
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図６、矢印Ａ４、Ａ４参照）。
【００７７】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図６、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図６、矢印Ａ５参照）。
【００７８】
このとき、前記したように、ロータリシャッタ２０の回動中において、その下シャッタ２２は、軸方向において、ハブ孔シャッタ４０から離れた回動位置に位置しており（図８（ｂ）右側参照）、下シャッタ２２とハブ孔シャッタ４０との間に隙間が大きくなっている。これにより、ハブ孔シャッタ４０を構成する第１シャッタ４１及び第２シャッタ４２は、ロータリシャッタ２０と接触することもなく、良好に回動することができる。
【００７９】
［ハブ孔シャッタ４０−開位置］
そして、記録ディスクカートリッジ１がドライブ装置Ｄに装着され、ロータリシャッタ２０が開位置にくると、ハブ孔シャッタ４０は隙間Ｓを完全に開く（図７左側参照）。同時に、ハブ孔シャッタ４０によるハブ３２の挟持状態は解除される。その結果として、ハブ３２及びこれを備える記録ディスクメディア３０は、ハブ３２にチャックするドライブ装置Ｄのスピンドル（図示省略）により、良好に回転することができる。
【００８０】
なお、記録ディスクカートリッジ１がドライブ装置Ｄから取り出されると、閉位置に戻るロータリシャッタ２０に連動して、ハブ孔シャッタ４０は隙間Ｓを閉じる。この場合においても、前記したように、ロータリシャッタ２０は、その回動中において、回動位置に移動し、下シャッタ２２とハブ孔シャッタ４０との間の隙間が大きくなるため、ハブ孔シャッタ４０は良好に回動することができる。
【００８１】
このように本実施形態に係る記録ディスクカートリッジ１によれば、ロータリシャッタ２０が、閉位置から開位置、又は、開位置から閉位置に回動する際に、ハブ孔シャッタ４０から離れた回動位置に移動するため、ハブ孔シャッタ４０はロータリシャッタ２０の回動に連動して良好に回動し、隙間Ｓを開閉することができる。
また、開位置において、ロータリシャッタ２０が通常位置に戻るため、ロータリシャッタ２０に収容された記録ディスクメディア３０を、ロータリシャッタ２０の開位置及び閉位置に関わらず、軸方向において同じ位置に配置することができる。
【００８２】
以上、本発明の好適な実施形態について説明したが、本発明は前記実施形態に限定されず、本発明の趣旨を逸脱しない範囲で、例えば次のように変更することもできる。
【００８３】
前記した実施形態では、上シャッタ２１（ロータリシャッタ２０）が４本の条２１ａ〜２１ｄ（凸部）を有し、センタピン５０が４本の溝５３ａ〜５３ｄ（凹部）を有する構成としたが、これとは逆に、上シャッタ２１が凹部を有し、センタピン５０が凸部を有する構成であってもよい。
【００８４】
前記した実施形態では、ロータリシャッタ２０が回動している間、上シェル１１の角形係合孔１１３周りが上側に弾性変形し、この弾性変形する部分が上シャッタ２１を下向きに付勢する構成としたが、その他に例えば、上シェル１１と上シャッタ２１の間に圧縮コイルばねを介在させて、この圧縮コイルばねが上シャッタ２１を下向きに付勢する構成としてもよい。
【００８５】
前記した実施形態では、条２１ａ〜２１ｄは側面視で半円柱体を呈し、その下面が曲面であり、溝５３ａ〜５３ｄが側面視で半円を呈し、いずれもその周方向側が曲面である場合を例示したが、曲面に代えてテーパ面であってもよい。
【００８６】
前記した実施形態では、４本の条２１ａ〜２１ｄを有する上シャッタ２１と、４本の溝５３ａ〜５３ｂを有するセンタピン５０と、を備えてロータリシャッタ移動機構が構成されたとしたが、これに限定されることはない。
例えば、図９に示すように、アーチ状フレーム１３１（図２参照）の内壁面１３１ａから径方向内側に突出したガイドピン１３１ｇと、ベースフレーム１３２（図２参照）の内壁面１３２ａから径方向内側に突出したガイドピン１３２ｇと、シャッタウォール２３の外周面から径方向内側に形成された２本のガイド溝２３ａ、２３ｂと、を備えてロータリシャッタ移動機構を構成してもよい。なお、図９は、ロータリシャッタ２０を周方向に展開した図である。
【００８７】
図９に示すロータリシャッタ移動機構について、さらに説明すると、ガイドピン１３１ｇと１３２ｇとは、周方向において、軸対称（１８０°間隔）に配置されている。これと同様に、ガイド溝２３ａとガイド溝２３ｂとも、周方向において、軸対称に配置されている。そして、ガイド溝２３ａ、２３ｂの周方向における両端部は、斜めに上側（ハブ孔シャッタ４０と反対側）を向いている。すなわち、ガイド溝２３ａ、２３ｂの周方向における中央部は、その両端部よりも下側（ハブ孔シャッタ４０側）に配置されている。
【００８８】
次に、このようなロータリシャッタ移動機構の作用効果について説明する。
図９（ａ）に示すように、ロータリシャッタ２０が閉位置にある場合、ガイドピン１３１ｇはガイド溝２３ａの左端部に位置し、ガイドピン１３２ｇはガイド溝２３ｂの左端部に位置する。このように位置する場合、ロータリシャッタ２０は、ハブ孔シャッタ４０（第１シャッタ４１、第２シャッタ４２）に接近した通常位置に配置される。
【００８９】
そして、図９（ｂ）に示すように、ロータリシャッタ２０が回動すると（矢印Ａ２参照）、ガイドピン１３１ｇがガイド溝２３ａの中央部を、ガイドピン１３２ｇがガイド溝２３ｂの中央部を摺動する。これにより、ロータリシャッタ２０が、ハブ孔シャッタ４０から離れた回動位置に移動する（矢印Ａ２１参照）。これにより、ロータリシャッタ２０とハブ孔シャッタ４０との間の隙間が大きくなり、ハブ孔シャッタ４０が好適に回動できる。
【００９０】
次いで、図９（ｃ）に示すように、ロータリシャッタ２０が閉位置にくると、ガイドピン１３１ｇはガイド溝２３ａの右端部に位置し、ガイドピン１３２ｇがガイド溝２３ｂの右端部に位置する。これにより、ロータリシャッタ２０がハブ孔シャッタ４０に接近した通常位置に戻る（矢印Ａ２２参照）。
【００９１】
この他にロータリシャッタ移動機構としては、例えば、ハブ孔シャッタ４０の動作に干渉しない範囲で、下シェル１２（カートリッジケース１０）の上面に周方向にガイド溝を形成し、下シャッタ２２（ロータリシャッタ２０）の下面に突出したガイドピン（凸部）を形成し、ガイド溝にガイドピンを係合させることで構成してもよい。
【００９２】
さらに説明すると、ロータリシャッタ２０の閉位置及び開位置では、ガイド溝を深くし（凹部）、このガイド溝の深い部分（凹部）にガイドピン（凸部）が嵌合した場合、ロータリシャッタ２０がハブ孔シャッタ４０に接近した通常位置に配置するように設計する。
一方、ロータリシャッタ２０が回動する部分では、ガイド溝を浅くし、ガイドピンが前記ガイド溝の深い部分から脱離し、ロータリシャッタ２０が回動位置に移動するように設計する。これにより、ロータリシャッタ２０が回動する場合、ロータリシャッタ２０とハブ孔シャッタ４０との間の隙間が大きくなる。
【図面の簡単な説明】
【００９３】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】図２に示す分解斜視図の要部拡大図である。
【図４】本実施形態に係るロータリシャッタを示す斜視図であり、（ａ）は前方斜め上方からみた図、（ｂ）は後方斜め下方からみた図である。
【図５】本実施形態に係る記録ディスクカートリッジの要部の断面図である。
【図６】本実施形態に係る記録ディスクカートリッジを下方からみた平面図である。
【図７】本実施形態に係る記録ディスクカートリッジをドライブ装置に挿入した状態を示す斜視図である。
【図８】図８は、本実施形態に係るロータリシャッタを周方向に展開し、ロータリシャッタ移動機構の動作を示す図であり、（ａ）はロータリシャッタが閉位置にある場合、（ｂ）はロータリシャッタが回動している場合、（ｃ）はロータリシャッタが開位置にある場合を示す。
【図９】変形例に係るロータリシャッタを周方向に展開し、ロータリシャッタ移動機構の動作を示す図であり、（ａ）はロータリシャッタが閉位置にある場合、（ｂ）はロータリシャッタが回動している場合、（ｃ）はロータリシャッタが開位置にある場合を示す。
【符号の説明】
【００９４】
１      記録ディスクカートリッジ
１０    カートリッジケース
２０    ロータリシャッタ
２１    上シャッタ
２１ａ、２１ｂ、２１ｃ、２１ｄ  条（凸部）
３０    記録ディスクメディア
４０    ハブ孔シャッタ
５０    センタピン
５３ａ、５３ｂ、５３ｃ、５３ｄ  溝（凹部）
１０１、１１１、１２１  アクセス用開口部（ケース開口）
Ｄ      ドライブ装置
Ｓ      隙間
ＳＡ    スイングアーム
【図１】
2007141279.tif 000003
【図２】
2007141279.tif 000004
【図３】
2007141279.tif 000005
【図４】
2007141279.tif 000006
【図５】
2007141279.tif 000007
【図６】
2007141279.tif 000008
【図７】
2007141279.tif 000009
【図８】
2007141279.tif 000010
【図９】
2007141279.tif 000011